(57)【要約】  【課題】  表示幕の取替え時、昇降を容易することができ、また、高所に上がらずに安全に作業ができ、安価に設置できる垂れ幕昇降装置具を提供する。  【解決手段】  高所の天井１などに取付けられた、軸受２に設けられた回転軸３と、前記回転軸３に巻きつけ可能なテープ７を備え、前期テープ７の下端部に垂れ幕８を取付け、伸縮細パイプ５ｂの上端部に備えられた回転ユニット４を、伸縮細パイプ５ｂと、伸縮太パイプ５ａに設けられた、操作ボックス６の切替スイッチ６３を備える。【選択図】  図１
2016194664.tif 000002
【特許請求の範囲】
【請求項１】
天井に固定された２つの軸受と、２つの軸受に回転可能に挿入された回転軸を有し、回転軸には、垂れ幕を取り付けるための巻き取る１つ以上のテープと、回転軸の端部には、伝動駒により回転を駆動されるための回転駒を備えた垂れ幕部と、伸縮パイプと、先端部に、伝動駒に係合されたモーターユニットと伸縮パイプの手元に昇降操作ユニットで構成される操作部とからなり、操作部の伝動駒を、回転駒に挿入させ、モーターユニットを駆動して回転軸を回転させることで、垂れ幕を昇降するようにした垂れ幕昇降装置具。
【請求項２】
前記軸受は、回転軸が垂れ幕の自重で回るのを止める軸受回り止めを軸穴の外周に１箇所以上設け、回転駒の外周にバネ状の板が軸受の突起に止まる回転軸ストッパーを備えることを特徴とする、請求項１に記載の垂れ幕昇降装置具。
【請求項３】
前記回転軸は、回転軸の外周に、一定の等間隔でテープ幅の鍔が設けられ、１本以上のテープを鍔と鍔の間に巻き付くように構成されていることを特徴とする、請求項１又は２に記載の垂れ幕昇降装置具
【請求項４】
前記テープは、テープの下端部に垂れ幕を係止されていることを特徴とする、請求項１から３のいずれか１つに記載の垂れ幕昇降装置具。
【請求項５】
前記モーターユニットは、伝動駒と、ギヤケースと、遊星ギヤボックスと、モーターからなり、減速モーターと、減速モーターの先端に伝動駒の係合と、
伸縮パイプの先端に押入させる伸縮細パイプとを固定させるギヤケースと、ギャケース蓋を備え、
伝動駒には、回転軸を回転させるための、回転駒ストッパーにかかる伝動駒ストッパー
と、回転軸ストッパーを設け、回転軸ストッパーを軸受回り止めから外すため、伝動駒押入時に回転軸ストッパーを押える周壁部が設けられていることを特徴とする、請求項１から請求項４のいずれか１つに記載の垂れ幕昇降装置具。
【請求項６】
前記伸縮パイプは、モーターから接続の螺旋コードを通し、操作ボックスの切り替えスイッチに接続されていることを特徴とする、請求項５に記載の垂れ幕昇降装置具。
【請求項７】
前記操作ボックスは、伸縮パイプの手持ち部に備えられ、
操作ボックスの内部は、操作ボックス底に乾電池と、操作ボックス蓋に昇降切替スイッチを設け、モーターからの螺旋コードから昇降の切り替え可能な配線にすることを特徴とする、請求項５から請求項６に記載の垂れ幕昇降装置具。
【発明の詳細な説明】
【技術分野】
【０００１】
本発明は、高所の天井とか、脚立、ハシゴ等を使用しての作業を必要とする箇所のPOS
広告、ポスター、等の垂れ幕を手軽に取付及び交換等の作業を行う際の垂れ幕昇降装置に関する。
【背景技術】
【０００２】
物品の昇降装置は、天井などの高所にモーターに、巻き取り用の軸を複数個固定し、複数個の軸を回転させて互いに相関するように均一に巻きつけて遠隔操作にて昇降させる機構は、特開２００８−５２４０９２号公報（特許文献１）などにより従来から知られている。この昇降装置は、特許文献１の他に、特開平７−２２３８００号公報（特許文献２）や特開２００２−８０１９１号公報（特許文献３）等に開示されているように物品を自由に昇降できるなっている。
【０００３】
例えば、特許文献１の物品装置の構造は、チューブと、該チューブに連結され、該チューブを回転させるためのモーターと、互いに離隔されて前記チューブと前記物品とに固定された複数のケーブルと、前記複数のケーブルを前記チューブに互いに相関するように均一の巻きつけるために、前記複数のケーブルが前記チューブ上に巻きつけられた場合に、前記複数のチューブを前記チューブに沿ってインデックス送りするための、前記チューブと同調して連結されたケーブルインデックサーとを含んでいる。この構造により、チューブに固定された物品の昇降を行う。
【０００４】
また、特許文献２及び３の昇降装置は、固定された昇降装置で、POS広告、ポスター等の垂れ幕等の軽量物ではなく、重量物を昇降する構造になっている。
【０００５】
このように、POS広告、ポスター等の垂れ幕等の軽量物を特化した構成の昇降装置は、
天井などの高所での取替え工事になるため転落事故などの危険があるため、専門業者に依頼して取替えを行っていた。また、非常に複雑な装置のため価格が高価になるために設置するのに困難であるという問題があった。
【先行技術文献】
【特許文献】
【０００６】
【特許文献１】特開２００８−５２４０９２号公報
【特許文献２】特開平７−２２３８００号公報
【特許文献３】特開２００２−８０１９１号公報
【発明の概要】
【発明が解決しようとする課題】
【０００７】
例えば、特許文献１の垂れ幕の昇降構造は、複数のチューブを巻き上げる際インデック
ス送りのため昇降しながら左右に移動するため垂れ幕のスペースを広く取る必要があった
。
また、モーターが巻き取り軸に固定されているためにモーターを回転させるため遠隔操作に成らざるを得ないことになる。従って、構造が非常に複雑になり価格が高価になり、設置が困難である。
【０００８】
また、特許文献２の昇降装置では、物品を載せる台を昇降させることを目的とした機構であり、特許文献３においても、物品を昇降させる機構のため、装置を固定させて使用するもので、垂れ幕を取替えた後では、何も置かない状態にする必要がある。
【０００９】
したがって、本発明が解決しようとする技術的課題は、上記の問題点を解決し、垂れ幕の昇降を容易にし、取替えの専門業者に依頼せずに、高所での取替え作業をしなくても店員でも危険を回避して取替えが出来るようになる。また、非常に安価にできるシステムとして垂れ幕昇降装置を提供することである。
【課題を解決するための手段】
【００１０】
本発明は、上記技術的課題を解決するために、以下の構成の垂れ幕昇降装置を提供する。
【００１１】
本発明の第１態様によれば、天井などの高所に回転軸の両端に取り付ける巻き取りユニットを支持する軸受と、テープ、リボン等を巻き付ける回転軸と、回転軸の周りに等間隔に鍔を設け、唾と唾の間にテープを巻きつける軸と、側端部に固定した回転駒と、
を備えることを特徴とする、垂れ幕昇降装置を提供する。
【００１２】
本発明の第２態様によれば、さらに、伸縮パイプの先端に遊星減速モーターを有し、
その先端に、回転駒を回転させる伝動駒を有し、
モーターユニットを回転駒に押入することで回転軸を回転させることを特徴とする、第１態様の垂れ幕昇降装置を提供する。  
【００１３】
本発明の第３態様によれば、前記伸縮パイプの先端にモーターユニットを有し、
モーターから伸縮自在の螺旋状の電線をパイプの中に配し、
作業員の手元の操作ボックスに接続することを特徴とする、第１又は第２態様の垂れ幕昇降装置を提供する。
【００１４】
本発明の第４態様によれば、操作ボックスを、パイプを挟み込むように、設置し、前記ハ゜イフ゜中の電線を操作の、切替えスイッチに配線し、電池、蓄電池等の動力にて垂れ幕を昇降させる、第１から第３態様のいずれか１つの垂れ幕昇降装置を提供する。
【発明の効果】
【００１５】
本発明によれば、テープ、リボン等を巻き付ける回転軸には、巻き取り可能な薄いテープが横振れしないように、テープ幅に合わせた鍔を設け事により、垂れ幕をまっすぐ昇降
させることが出来る。
【００１６】
本発明の第１態様によれば、回転軸の周りに等間隔に鍔を設け、両端部の、鍔と鍔の間の中心部付近を切断した状態で、両側から軸受を挿入して天井などに固定することにより、垂れ幕の幅の変化、例えば、幅３００ｍｍ、６００ｍｍ、９００ｍｍ等に対しても対応でき、効率よく垂れ幕を設置できる。
【００１７】
本発明の第２態様によれば、遊星減速モーターに伝動駒を固定したモーターユニットを回転駒に押入することにより、伝道駒の内径が押入することにより回転軸ストッパーがバネ効果により内側に寄り、回り止めが外れると同時に、スイッチの操作により、右回転、止め、左回転ができ、垂れ幕の昇降が出来る。
また、モーターユニットを外すと、回転軸ストッパーがバネ効果により、外側に戻り、軸受回り止めに当たり、垂れ幕が自重で、降下するのを防止する。
この構成により、伝動駒を抜き差しするだけで、業者以外の、例えば、店員でも安全に、また、手軽に作業ができる。
【００１８】
本発明の第３態様によれば、モーターユニットを伸縮パイプの先端に取り付け、伸縮パイプの継ぎ目に締め付け固定具を設けることにより、高低の調節と収納が効率よく行うことができる。
【００１９】
本発明の第４形態によれば、底容器と、蓋容器にて、パイプを挟み固定することにより、
非常にコンパクトな操作ボックスになる。また、操作する作業者の手元で、垂れ幕の、上昇、下降、停止の操作が容易に行うことができる。
【図面の簡単な説明】
【００２０】
【図１】本発明の実施形態にかかる垂れ幕昇降装置を示す全体の概略図である。
【図２】図１の垂れ幕昇降装置のモーターによる回転軸を回転させる機構を示す斜視図である。
【図３】図１の垂れ幕昇降装置の回転軸を受ける、天井に固定する軸受を示す斜視図である。
【図４】図１の垂れ幕昇降装置のテープを巻き取るための回転軸を示す斜視図である。
【図５】図４の回転軸の回転を止めた後の垂れ幕の落下を防止させる機構を示した、回転軸に固定させる回転軸ストッパーの詳細斜視図である。
【図６】図２の回転軸を回転させるモーターを分解した機構を示す詳細斜視図である。
【図７】図５のモーターを固定する伸縮パイプを示す詳細である。
【図８】図６の伸縮パイプに固定する垂れ幕装置の操作ボックスを分解した機構を示す斜視図である。
【発明を実施するための形態】
【００２１】
以下、本発明の一実施形態に係る垂れ幕昇降装置具を用いた構造について、図面を参照
しながら説明する。
【００２２】
本実施形態にかかる垂れ幕昇降装置具１００は、ショッピングモールまたは、その他の
大型施設の高所の天井のような位置から垂れ幕の表示物を吊り下げる、垂れ幕昇降装置具
１００は、図１及び図２に示すように、建物の外壁や、ショッピングモール等の高所の天
井面１（図２参照）等に軸受２を取付け、軸受２に挿入された回転軸３を操作ボックス６
の昇降スイッチ６３を操作して減速モーター４を回転させ、垂れ幕に連結させているテー
プ７及びリボンを回転軸３に巻き付け、表示物の垂れ幕８を昇降させるように構成されて
いる。
【００２３】
上記軸受２は、ポリアセタール、ナイロン、ＡＢＳ樹脂、等の熱可塑性合成樹脂を射出
成形したもので、本実施形態では、回転軸３の熱可塑性樹脂に対して耐磨耗性のよい樹脂
と組合わせすることが好ましい。
【００２４】
回転軸３は、ポリプロピレン、ＡＢＳ樹脂、ポリエチレン等の熱可塑性合成樹脂を射出成形したもので、本実施形態では、リレー成形により同一形状を連続的に成形することで、長手方向に連続して成形された長尺の回転軸３を構成する。本実施形態では、長さ寸法は例えば、３０,６０,９０ｃｍ等の複数個設けたテープガイド鍔３２と鍔の中間にある巻取部３１の両端を切断して、軸受２に回転軸３を勘合させることにより、垂れ幕８を必要に必要に応じた幅に設置できる。
【００２５】
回転駒３４は、図４に示すように、回転軸の両端部又は、片側端部に装填し、伝動駒４３の回転により回転軸３を回転させ、テープ７を巻取部３１、垂れ幕を昇降させるように構成されている。
【００２６】
図２から図５に示すように、回転軸３を回転させる機構は、遊星ギヤーボックス４２に装着された伝動駒４３の回転により伝動駒４３を回転駒３４に押入することにより、回転が回転駒４３に伝わり、回転軸３を回転させ、回転軸３を受ける軸受２を天井に固定させる構成になっている。
【００２７】
図３から図５に示すように、回転軸３が垂れ幕８の自重により巻き上げた垂れ幕８が落
ちるのを防止するため、軸受２に軸受回り止め２２を設け、伝動駒４３の周壁部４４を外
すことで、回転軸ストッパー３５がバネ効果により、外側に起き上がり、軸受２の軸受回り止め２２に引っ掛かり、回転軸３の回転が止まり、垂れ幕が落下しないような構成になっている。
【００２８】
また、図３から図６に示すように、回転ユニット４に固定されている伝動駒４３を回転
駒３４に押入させることにより、伝動駒ストッパー４５と回転駒ストッパー３６が当たる
と同時に、伝動駒周壁部４４が回転駒３４の回転軸ストッパー３５の板をバネ効果により
内側に押えられ、軸受回り止め２２から外れ、軸受３を回転させることが出来る
【００２９】
図５に示すように、回転軸ストッパー３５は、ポリアセタール等の樹脂製を射出成した
もので、バネ効果を得るために、薄い板状の構成になっている。
【００３０】
図６に示すように、回転ユニット４は、モーターユニット４０、ギヤケース４６ａ、    ギヤケース蓋４７、伝動駒４３にて構成されている。
【００３１】
モーターユニット４０は、小型モーター４１と回転を減速させるため、遊星ギヤ
ボックスとの組合せが望ましい。
【００３２】
又、モーターユニット４０と、伝動駒４３と、差込パイプ４６ｂを纏めるギャケ
ース４６ａを設け、遊星ギヤボックスの軸と伝動駒の軸を軸穴４９に通し、ギヤボックス
締付け穴４８ａと、ギヤケース締付け穴４８ｂにビスで締付け、モーターケース蓋を固定
して回転ユニット４を構成する。
【００３３】
図６、図７に示すように、回転ユニット４の差込パイプ４６ｂを伸縮パイプ５ｂの内径
又は、外形に押入して固定し、モーター４１から伸縮させるための螺旋コード５２をパイプの内径に通し、操作ボックス６に接続し、使用しないときは、伸縮細パイプ５ｂを伸縮太パイプ５ａの内径に通し、短く収納できる機構になっている。
【００３４】
また、伸縮太パイプ５ａ上部側にパイプ締付具５１を設け、伸縮細パイプ５ｂの使用に応じて高さ調整を行ってパイプ締付具５１にて締め付けて固定し、天井面１の高さによって対応できるように図られている。
【００３５】
図７、図８に示すように、乾電池ケース６１ａｂ、乾電池６２ａｂ、スイッチ６３を収納する操作ボックス底６ａと、操作ボックス蓋６ｂの容器に収納し、伸縮細パイプ５ｂを伸縮太パイプ５ａの内径を通した螺旋コード５２を切替スイッチ６３に接続する。
【００３６】
なお、本発明は上記実施形態に限定されるものではなく、その他種々の態様で実施可能
である。たとえば、切替スイッチ６３のスイッチの形態は、モーターの回転が正逆回転で
きるスイッチであればよい。また、電源は、乾電池、蓄電池、充電器等を使用してもよい。
螺旋コード６２の代わりに、よく知られている掃除機のコード等のゼンマイ式巻き取り装
置の機構にしてもよい。
【産業上の利用可能性】
【００３７】
本発明にかかる垂れ幕昇降装置は、ショッピングモールや、大型の施設などの外壁や
内壁及び、高所の天井等に配置される。
【符号の説明】
【００３８】
Ａ      垂れ幕部  
Ｂ      操作部
１      天井
２      軸受
３      回転軸
４      回転ユニット
５ａ    伸縮太パイプ
５ｂ    伸縮細パイプ
６      昇降操作ユニット
６ａ    操作ボックス底
６ｂ    操作ボックス蓋
７      テープ  
８      垂れ幕
２１      軸内壁
２２      軸受回り止め
２３      天井固定穴
３１      巻取部
３２      テープガイド鍔
３４      回転駒
３５      回転軸ストッパー
３６      回転駒ストッパー
４０      モーターユニット
４１      モーター
４２      遊星ギヤボックス
４３      伝動駒
４４      周壁部
４５      伝動駒ストッパー
４６ａ    ギヤケース
４６ｂ    差込パイプ
４７      ギャケース蓋
４８ａ    ギヤボックス締付け穴    
４８ｂ    ギヤケース締付け穴    
４９      軸穴
５１      パイプ締付具
５２      螺旋コード
６１ａｂ  乾電池ケース
６２ａｂ  乾電池  
６３      切替スイッチ
１００      垂れ幕昇降装置具
【図１】
2016194664.tif 000003
【図２】
2016194664.tif 000004
【図３】
2016194664.tif 000005
【図４】
2016194664.tif 000006
【図５】
2016194664.tif 000007
【図６】
2016194664.tif 000008
【図７】
2016194664.tif 000009
【図８】
2016194664.tif 000010